(57)【要約】【課題】１個のクッションで防塵と衝撃吸収の目的に対応し、組み立ても容易なＬＣＤの防塵構造と、その防塵構造を有する電子機器を提供する。【解決手段】ＬＣＤフレキシブル基板４１の幅方向に左右に延びる基板突起部４２を設け、ＬＣＤフレーム５０にはＬＣＤフレキシブル基板４１の基板突起部４２の下面に当接するＬＣＤフレキシブル基板受け面５３を設け、組み立て時にＬＣＤフレキシブル基板４１の基板突起部４２の下面が当接することにより、基板突起部４２およびＬＣＤフレキシブル基板４１の上面がクッション突き当て部５２の面と連続した平面となる。これによって防塵クッション３０のみでスクリーン１０とＬＣＤ本体４０との間の空間の防塵が確保でき、同時に衝撃吸収用クッションの役割も果たす。【選択図】図２
2005189499.tif 000002
【特許請求の範囲】
【請求項１】
表示部にＬＣＤを有する電子機器における該ＬＣＤの防塵構造であって、
前記電子機器は、
表示面を有する第１のケースと、
該第１のケースと係合して筐体を形成する第２のケースと、
前記ＬＣＤと、該ＬＣＤ制御用の電子部品と配線とを有する印刷配線基板と、前記ＬＣＤと前記印刷配線基板とを接続するＬＣＤフレキシブル基板とを搭載し、前記第１のケースに固定されるＬＣＤフレームとを備え、
前記ＬＣＤフレキシブル基板は幅方向の両側面の所定の位置に幅方向に延びる基板突起部を有し、
前記ＬＣＤフレームは、前記第１のケースと対向する面に、前記ＬＣＤを固定する固定部と、前記ＬＣＤフレキシブル基板の貫通部を除いた前記固定部を取り囲む３面に設けられた防塵クッション突き当て面と、前記ＬＣＤフレキシブル基板の貫通部の前記突起部に対応する部分に設けられて前記突起部の上面が前記防塵クッション突き当て面と連続するように該突起部の下面を支持するＬＣＤフレキシブル基板受け面とを有し、
前記第１のケースは、前記防塵クッション突き当て面と、前記突起部上面と、前記ＬＣＤフレキシブル基板上面とによって形成される前記ＬＣＤフレーム上の面に当接するように配置された防塵クッションを有する、電子機器におけるＬＣＤの防塵構造。
【請求項２】
前記防塵クッションは衝撃吸収用の機能も有する、請求項１に記載の電子機器におけるＬＣＤの防塵構造。
【請求項３】
前記第１のケースは表面にスクリーン貼付け部、裏面に防塵クッション貼付け部を有し、スクリーンが前記スクリーン貼付け部に貼り付けられて前記表示面となる、請求項１または請求項２に記載の電子機器におけるＬＣＤの防塵構造。
【請求項４】
請求項１から請求項３の何れか１項に記載のＬＣＤの防塵構造を備えたことを特徴とする電子機器。
【請求項５】
前記電子機器が携帯電話機である、請求項４に記載の電子機器。
【請求項６】
前記携帯電話機が折り畳み式である、請求項５に記載の電子機器。
【発明の詳細な説明】
【技術分野】
【０００１】
本発明はＬＣＤの防塵構造とＬＣＤの防塵構造を有する電子機器に関する。
【背景技術】
【０００２】
従来、携帯電話などのＬＣＤを備えた電子機器は、ＬＣＤフレキシブル基板が接続したＬＣＤと回路基板である印刷配線基板とを両面に固定したＬＣＤフレームを、筐体を形成するフロントケースとリアカバーとの間に挟持して構成されており、フロントケースにはＬＣＤ画面表示のためのスクリーンが設けられていた。この従来の構成においてはＬＣＤフレームとＬＣＤフレキシブル基板との間に空間があったため、防塵構造を設ける場合に、ＬＣＤフレームとフロントケースとの間に衝撃吸収用クッションを設ける他に、ＬＣＤ本体とスクリーンとの間に防塵クッションを設ける構造となっている。
【０００３】
また、液晶表示器をプリント基板に固定する固定部材を高弾性、柔軟性のある樹脂材で成形し、固定部材の上面を窓を設けた筐体に接触させることによって衝撃吸収と防塵パッキンとしての機能を持たせた液晶表示装置が開示されている（特許文献１参照）。
【特許文献１】特開平９−１２７４９１号公報
【発明の開示】
【発明が解決しようとする課題】
【０００４】
従来の携帯電話などのＬＣＤを備えた電子機器では、このように衝撃吸収用クッションの他にＬＣＤ本体とフロントケースとの間の防塵のための防塵クッションが必要となり、防塵クッションはＬＣＤ本体と接触するため剛性の低いＬＣＤ本体に対する影響を配慮する必要があり、それに伴って作業性の悪さから組み立ての際の工数も余分に掛かるという問題点があった。
【０００５】
また、特許文献１に記載の液晶表示装置では、固定部材自体の材質を柔軟性にして使用するので柔軟性に限界があり、所望の衝撃緩和性と防塵性とを得ることに問題がある。
【０００６】
本発明の目的は、１個のクッションで防塵と衝撃吸収の目的に対応し組み立ても容易なＬＣＤの防塵構造と、その防塵構造を有する電子機器を提供することにある。
【課題を解決するための手段】
【０００７】
本発明の電子機器におけるＬＣＤの防塵構造は、
表示部にＬＣＤを有する電子機器におけるＬＣＤの防塵構造であって、電子機器は、表示面を有する第１のケース、その第１のケースと係合して筐体を形成する第２のケース、ＬＣＤ、およびそのＬＣＤ制御用の電子部品と配線とを有する印刷配線基板と、ＬＣＤと印刷配線基板とを接続するＬＣＤフレキシブル基板とを搭載し、第１のケースに固定されるＬＣＤフレームを備えている。ＬＣＤフレキシブル基板は幅方向の両側面の所定の位置に幅方向に延びる基板突起部を有し、ＬＣＤフレームは、第１のケースと対向する面に、ＬＣＤを固定する固定部と、固定部を取り囲むＬＣＤフレキシブル基板の貫通部を除いた３面に設けられた防塵クッション突き当て面と、ＬＣＤフレキシブル基板の貫通部のＬＣＤフレキシブル基板の突起部に対応する部分に設けられて突起部の上面が防塵クッション突き当て面と連続するようにその突起部の下面を支持するＬＣＤフレキシブル基板受け面とを有し、第１のケースは、防塵クッション突き当て面と、突起部上面と、ＬＣＤフレキシブル基板上面とによって形成されるＬＣＤフレーム上の面に当接するように配置された防塵クッションを有する。防塵クッションは衝撃吸収用の機能も有していてもよい。
【０００８】
第１のケースは表面にスクリーン貼付け部、裏面に防塵クッション貼付け部を有し、スクリーンがスクリーン貼付け部に貼り付けられて表示面となっていてもよい。
【０００９】
本発明の電子機器は、
上述のＬＣＤの防塵構造を備えたことを特徴とする。電子機器が携帯電話機であってもよく、携帯電話機が折り畳み式であってもよい。
【発明の効果】
【００１０】
本発明は、部品点数および組み立て工数の削減ができるという効果がある。これは、防塵クッションが衝撃吸収クッションの役割を果たすので衝撃吸収用クッションを削減できるからである。
【００１１】
また、内部構成部品に負担を掛けることなく、また内部構成部品のばらつきに影響されることなく防塵が可能となる効果がある。これは、比較的剛性の高いフロントケースとＬＣＤフレームとの間だけで防塵クッションを圧縮する構成であり、他の部品に負荷を掛けることがないからである。
【発明を実施するための最良の形態】
【００１２】
次に、本発明の実施の形態について図面を参照して説明する。図１は本発明の実施の形態の折り畳み式携帯電話機の模式的斜視図であり、図２は図１の上部筐体の模式的分解斜視図であり、図３は図２のフロントケースと防塵クッションを裏面から見た模式的斜視図であり、図４はＬＣＤフレームにＬＣＤ本体並びにＬＣＤフレキシブル基板を載置した状態を示す模式図であり（ａ）は上面図、（ｂ）は（ａ）のＡ−Ａ断面図である。
【００１３】
ここでは電子機器を図１に示すように折り畳み式携帯電話機１を例として説明する。折り畳み式携帯電話機１は、上部筐体２、下部筐体３、上部筐体２と下部筐体３とを折り畳み可能に接続するヒンジ接続部４と外部アンテナ７とで構成され、上部筐体２には画面を表示するディスプレイ５が設けられ、下部筐体には文字情報と制御情報を入力するキーボタン６が設けられている。
【００１４】
上部筐体２は、図２に示すように、スクリーン１０、フロントケース２０、防塵クッション３０、ＬＣＤ本体４０、ＬＣＤフレーム５０、印刷配線基板６０、リアカバー７０を備えている。
【００１５】
フロントケース２０は、表面にスクリーン貼付け部２１、裏面に防塵クッション貼付け部２２を有し、スクリーン貼付け部２１にはスクリーン１０が貼り付けられ、防塵クッション貼付け部２２には防塵クッション３０が貼り付けられる。
【００１６】
ＬＣＤフレーム５０は、上面にＬＣＤ固定部５１とクッション突き当て部５２と、ＬＣＤフレキシブル基板受け面５３とを有し、ＬＣＤフレキシブル基板受け面５３はＬＣＤフレキシブル基板４１の基板突起部４２の下面と係合する面を形成している。ＬＣＤフレキシブル基板４１は一般に厚さが薄いので、基板突起部４２の厚さも薄く、防塵クッション３０で段差をカバーできるので、図４では基板突起部４２の下面と当接するＬＣＤフレキシブル基板受け面５３はクッション突き当て面５２と同じ高さとなっているが、基板突起部４２の厚さが厚いときには基板突起部４２の上面がクッション突き当て面５２と同じ高さとなるように切り込みを設けてＬＣＤフレキシブル基板受け面５３は切り込みの底面としてもよい。
【００１７】
ＬＣＤ固定部５１にはＬＣＤ本体４０が固定され、クッション突き当て部５２にはフロントケース２０に貼り付けられた防塵クッション３０が組み立て時に当接し、ＬＣＤフレキシブル基板受け面５３にはＬＣＤフレキシブル基板４１の基板突起部４２の下面が当接し、基板突起部４２およびＬＣＤフレキシブル基板４１の上面はクッション突き当て部５２の面と連続した平面となる。
【００１８】
ＬＣＤ本体４０と印刷配線基板６０とは、ＬＣＤフレキシブル基板受け面５３に当接する基板突起部４２の先で折り返すＬＣＤフレキシブル基板４１で互いに接続される。
【００１９】
防塵クッション３０は、組み立て時にＬＣＤフレーム５０とフロントケース２０との間に挟持されてその間の密閉状態を確保する。リアカバー７０はフロントケース２０と係合して筐体を構成し、スクリーン１０はフロントケース２０に取り付けられてディスプレイ５となる。
【００２０】
本実施の形態では、ＬＣＤフレキシブル基板４１に幅方向に左右に延びる基板突起部４２が設けられ、ＬＣＤフレーム５０にはＬＣＤフレキシブル基板４１の基板突起部４２の下面に当接して係合するＬＣＤフレキシブル基板受け面５３が設けられ、組み立て時にＬＣＤフレキシブル基板４１の基板突起部４２の上面はクッション突き当て部５２の面と連続した平面となることに特徴がある。ＬＣＤフレキシブル基板４１の厚さは薄いので基板突起部４２の上面とクッション突き当て部５２との間の段差は防塵クッション３０の柔軟性でカバーされる。もし厚さが厚いときには切り欠きを設けて上面の段差を無くしてもよい。ＬＣＤフレキシブル基板４１自体も薄いので撓むがその先で折り返されているので剛性があり、その撓みは防塵クッション３０の柔軟性でカバーされる。
【００２１】
これによって防塵クッション３０のみでスクリーン１０とＬＣＤ本体４０との間の空間の防塵が確保でき、同時に防塵クッション３０が衝撃吸収用クッションの役割も果たす。
【００２２】
次に、本実施の形態の折り畳み式携帯電話機の上部筐体２の組み立てについて説明する。印刷配線基板６０にＬＣＤフレキシブル基板４１を接続し、基板突起部４２がＬＣＤフレーム５０のＬＣＤフレキシブル基板受け面５３に当接するようにＬＣＤ本体４０をＬＣＤフレーム５０のＬＣＤ固定部５１に固定した後、ＬＣＤフレキシブル基板４１を折り返して、印刷配線基板６０をＬＣＤフレーム５０の下面に固定することによってＬＣＤユニットとして完成させる。
【００２３】
フロントケース２０の下面の防塵クッション貼付け部２２に防塵クッション３０を貼り付けた後、防塵クッション３０とＬＣＤフレーム５０のクッション突き当て面５２および基板突起部４２を含むＬＣＤフレキシブル基板４１の上面とが当接するようにＬＣＤユニットをフロントケース２０に組み込む。そのフロントケース２０にリアカバー７０を嵌合し、フロントケース２０のスクリーン貼付け部２１にスクリーン１０を貼り付けて上部筐体２が完成する。
【００２４】
次に本実施の形態のＬＣＤ防塵構造の作用について説明する。口の字型の防塵クッション３０は、ＬＣＤフレーム５０のクッション突き当て面５２とＬＣＤフレキシブル基板受面５３で支持された基板突起部４２とＬＣＤフレキシブル基板４１との上に一周に渉って接触するので、この防塵クッション３０をフロントケース２０とＬＣＤフレーム５０の間で圧縮することによってスクリーン１０とＬＣＤ本体４０との間の表示部の密閉状態が確保できる。
【００２５】
ここでは、折り畳み式携帯電話機を例として説明したが折り畳み式携帯電話機に限定されるものではなく、一体型の携帯電話機であってもよく、ＬＣＤで表示を行う電子機器のＬＣＤの防塵構造として広く適用できる。
【図面の簡単な説明】
【００２６】
【図１】本発明の実施の形態の折り畳み式携帯電話機の模式的斜視図である。
【図２】図１の上部筐体の模式的分解斜視図である。
【図３】図２のフロントケースと防塵クッションを裏面から見た模式的斜視図である。
【図４】ＬＣＤフレームにＬＣＤ本体並びにＬＣＤフレキシブル基板を載置した状態を示す模式図である。（ａ）は上面図である。（ｂ）は（ａ）のＡ−Ａ断面図である。
【符号の説明】
【００２７】
１    折り畳み式携帯電話機
２    上部筐体
３    下部筐体
４    ヒンジ接続部
５    ディスプレイ
６    キーボタン
７    外部アンテナ
１０    スクリーン
２０    フロントケース
２１    スクリーン貼付け部
２２    防塵クッション貼付け部
３０    防塵クッション
４０    ＬＣＤ本体
４１    ＬＣＤフレキシブル基板
４２    基板突起部
５０    ＬＣＤフレーム
５１    ＬＣＤ固定部
５２    クッション突き当て部
５３    ＬＣＤフレキシブル基板受け面
６０    印刷配線基板
７０    リアカバー
【図１】
2005189499.tif 000003
【図２】
2005189499.tif 000004
【図３】
2005189499.tif 000005
【図４】
2005189499.tif 000006